(57)【要約】  ディスプレイ１１０と、可動部材１３０と、コンピュータ手段とを具えた表示構造体１００が、内容を表示する独創的な伝達手段を生み出す。１つの種類として、可動部材１３０はディスプレイに近接し、その表面を横切るとディスプレイ１１０の一部を実質的に遮蔽する。ディスプレイに送信される内容を調整することで、外観上は、可動部材１３０が表示された内容に影響を与える。例えば、部材１３０が上方へ動くと、当該部材より下の画像のサイズが伸張する一方、当該部材１３０より上の画像のサイズが圧縮され、当該上側の画像は消滅し、下側の画像がディスプレイの可視部分全体を占める。部材１３０がディスプレイ１１０表面を上下に横切る間、このような外観が継続する。当該部材は、これらの画像を伸張し、圧縮し、押し、引き、および／または消去することによってこれらの画像を巧みに操作するように見える。
2008511017.tif 000002
【特許請求の範囲】
【請求項１】
ディスプレイと、前記ディスプレイに近接して前記ディスプレイの一部を実質的に遮蔽する可動部材と、前記ディスプレイに静止またはビデオ画像を有する内容を送信する手段と、前記可動部材が表示された前記内容と協調して動くよう前記可動部材を制御する手段と、を有する表示構造体。
【請求項２】
前記ディスプレイに内容を送信する前記手段が、前記ディスプレイと通信する１以上のコンピュータプロセッサを有する請求項１に記載の表示構造体。
【請求項３】
前記可動部材を制御する前記手段が、プーリおよびカウンタウェイトからなり１以上のコンピュータプロセッサと通信するシステムを有する請求項１に記載の表示構造体。
【請求項４】
前記内容は２つの異なる画像を含む請求項１に記載の表示構造体。
【請求項５】
前記可動部材は前記２つの画像を分離する境界を形成する請求項４に記載の表示構造体。
【請求項６】
前記可動部材を水平姿勢に置き、該可動部材が上下方向に動く請求項５に記載の表示構造体。
【請求項７】
第1画像が前記可動部材の上にあり第2画像が前記可動部材の下にある請求項６に記載の表示構造体。
【請求項８】
前記ディスプレイは複数の発光ダイオードを含む請求項１に記載の表示構造体。
【請求項９】
１以上のディスプレイスクリーンと、前記１以上のディスプレイに関し平行移動して前記１以上のディスプレイスクリーンの一部を隠すキャビネットと、前記キャビネットの動きを制御し前記１以上のディスプレイスクリーンに送信される内容を電気的に操作する制御手段とを具備するディスプレイ装置。
【請求項１０】
前記キャビネットの動きが前記１以上のディスプレイスクリーン上に表示される内容に影響するように見える請求項９に記載のディスプレイ装置。
【請求項１１】
前記制御手段は、キャビネットおよび前記１以上のディスプレイスクリーンと通信する１以上の中央演算処理装置を具備する請求項９に記載のディスプレイ装置。
【請求項１２】
前記内容は２つの異なる画像からなる請求項９に記載のディスプレイ装置。
【請求項１３】
前記キャビネットは前記２つの画像を分離する請求項１２に記載のディスプレイ装置。
【請求項１４】
前記キャビネットを水平姿勢に置き、該キャビネットが上下方向に動く請求項９に記載のディスプレイ装置。
【請求項１５】
第1画像が前記キャビネットの上にあり第2画像が前記キャビネトットの下にある請求項１４に記載のディスプレイ装置。
【請求項１６】
前記ディスプレイは複数の発光ダイオードからなる請求項９に記載のディスプレイ装置。
【請求項１７】
ディスプレイと、
前記ディスプレイに近接して前記ディスプレイの一部を実質的に遮蔽する可動部材と、
前記可動部材と接続するプーリおよびカウンタウェイトからなるシステムと、
内容を前記ディスプレイに送信し、プーリおよびカウンタウェイトからなる前記システムを制御することにより前記可動部材が表示される前記内容に合わせて動くよう前記可動部材の動きを制御する１以上のコンピュータプロセッサと、を具備する表示構造体。
【請求項１８】
少なくとも２つの異なる静止画像またはビデオ画像のいずれかの画像を１以上のディスプレイスクリーンに送信し、
ディスプレイスクリーン遮断物の動きを制御することを含み、
前記少なくとも２つの異なる画像の第１画像を前記遮断物の一方側のみに表示し、前記少なくとも２つの異なる画像の第２画像を前記遮断物の他方側のみに表示し、前記遮蔽物の動きと共同して前記画像を操作する内容表示方法。
【請求項１９】
１以上のコンピュータ処理ユニットによって、少なくとも２つの異なる画像を送信し、前記ディスプレイスクリーン遮断物の動きを制御する請求項１８に記載の方法。
【請求項２０】
前記静止画像は、前記１以上のディスプレイスクリーンと連絡する装置に記憶される請求項１８に記載の方法。
【請求項２１】
前記ディスプレイ遮断物は前記１以上のディスプレイスクリーンの水平部を実質的に遮蔽する請求項１８に記載の方法。
【請求項２２】
前記ディスプレイ遮断物が上下に動くと、第１画像は前記遮断物の上に残り、第2画像は前記遮断物の下に残る請求項２１に記載の方法。
【請求項２３】
前記ディスプレイ遮断物が前記画像の方向に動いて画像を消去するように見えるように前記画像を操作する請求項１８に記載の方法。
【請求項２４】
前記ディスプレイ遮断物が前記画像の方向に動いて画像を圧縮するように見えるように前記画像を操作する請求項１８に記載の方法。
【請求項２５】
前記ディスプレイ遮断物が前記画像の方向に動いて画像を締め出すように見えるように前記画像を操作する請求項１８に記載の方法。
【請求項２６】
前記ディスプレイ遮断物が前記画像から離れる方向に動いて画像を伸張するように見えるように前記画像を操作する１８に記載の方法
【請求項２７】
前記ディスプレイ遮断物が前記画像から離れる方向に動いて第1画像を前記ディスプレイスクリーン上へ引き出すように見えるように前記画像を操作する請求項１８に記載の方法。
【請求項２８】
内容を１以上のディスプレイスクリーンに送信し、前記内容は静止画像、ビデオ画像または静止画像およびビデオ画像の組み合わせであり、
ディスプレイスクリーン遮断物の動きを制御して、前記ディスプレイスクリーン遮断物の各側にある少なくとも２つの分離した画像が、前記ディスプレイスクリーン遮断物と共同して操作されるように見える内容表示方法。
【請求項２９】
内容を創作するための手段と、
ディスプレイ装置のディスプレイスクリーン表面を移動可能なキャビネットを含む前記ディスプレイ装置に、前記内容を送信するための手段と、
所望の効果を生み出すよう、前記表示された内容と共同して前記キャビネットの動きを制御する手段とを具備する内容表示のためのシステム。
【請求項３０】
前記内容を創作するための前記手段は、ソフトウェアおよびハードウェア構成を有するコンピュータを具備する請求項２９に記載のシステム。
【請求項３１】
前記ディスプレイスクリーンに前記内容を送信するための前記手段は、ワイヤ接続からなる請求項２９に記載のシステム。
【請求項３２】
前記ディスプレイスクリーンに前記内容を送信するための前記手段は、無線接続からなる請求項２９に記載のシステム。
【請求項３３】
前記キャビネットの動きを制御する前記手段は、コンピュータプロセッサからなる請求項２９に記載のシステム。
【請求項３４】
前記コンピュータプロセッサは、前記キャビネットの動きを制御するためにプーリおよびカウンタウェイトを組み合わせた操作を制御する請求項３３に記載のシステム。
【請求項３５】
前記所望の効果は、第1画像が前記キャビネットの上に残り第2画像が前記キャビネットの下に残る間に上下に動く前記キャビネットを包含する請求項２９に記載のシステム。
【請求項３６】
前記所望の効果は、前記画像の方向に動いて画像を消去するように見える前記キャビネットを包含する請求項２９に記載のシステム。
【請求項３７】
前記所望の効果は、前記画像の方向に動いて画像を圧縮するように見える前記キャビネットを包含する請求項２９に記載のシステム。
【請求項３８】
前記所望の効果は、前記画像の方向に動いて画像を締め出すように見える前記キャビネットを包含する請求項２９に記載のシステム。
【請求項３９】
前記所望の効果は、前記画像から離れる方向に動いて画像を伸張するように見える前記キャビネットを包含する請求項２９に記載のシステム。
【請求項４０】
前記所望の効果は、前記画像から離れる方向に動いて第1画像を前記ディスプレイスクリーン上へ引き出すように見える前記キャビネットを包含する請求項２９に記載のシステム。
【発明の詳細な説明】
【技術分野】
【０００１】
本発明の実施例は、電子ディスプレイおよびその操作に関する。特に、本実施例は独創的な方法で内容を表示することに関する。
【背景技術】
【０００２】
技術の向上に伴い、ＬＥＤディスプレイ、ＬＣＤディスプレイ、プラズマディスプレイおよびデジタルディスプレイを含む電子ディスプレイが今日周知となっている。タイムズスクウェアまたはラスベガスストリップに沿って歩くと誰もが、現在のディスプレイに強い興味をもつ。このような場所で、ディスプレイは多層階に亘る高さであるから、見落とされることはない。このように大きなディスプレイに画像およびビデオ画像を表示する能力は、関連ビジネスの魅力を宣伝するに当たって、かなり幅広い用途を提供する。たとえば、カジノでは、カジノ内で催される予定にある特定の楽隊によるコンサートのビデオクリップを、またはカジノフロアで行われるゲームの様子のビデオクリップを見せることができる。
【０００３】
同様に、より小さい電子ディスプレイは、われわれの文化にとってより一層重要なものである。空港、ホテルおよび他の公共の場所では、商品および／または役務を宣伝するビジネスや、新しい顧客を呼び込むビジネスのために、より小さいディスプレイを備えている。
【０００４】
ディスプレイ技術における１つの重要な進展は、より大きなディスプレイであっても極めて鮮明な画像または映像を表示する能力である。これにより、より多くのビジネスにおいて、商品および／または役務を宣伝するために高品質のディスプレイを利用することができる。特に、ほとんどのカジノでは、通路正面にある１以上の大きなディスプレイを操作して、カジノの魅力につき通行人を楽しませ、啓発し、引き込む。ラスベガスのThe Strip通りは、膨大な数のリゾートカジノおよびこれらに付随する巨大なディスプレイで有名である。
【発明の開示】
【発明が解決しようとする課題】
【０００５】
残念なことに、鮮明な画像および映像のディスプレイであっても、ディスプレイ自身は固定されていて、表示された題材の他は、見る人を引き込むものはない。よりドラマチィックな方法で画像およびビデオの内容を提示し、これによってより多くの通行人の注意を集め、見る人を付随するカジノまたはその他のビジネスに多く引き込むために、より動的なディスプレイユニットを開発することが有益である。
【課題を解決するための手段】
【０００６】
本発明の第1実施例は、動的なキャビネットまたは台車と組み合わせたディスプレイを有する。動的なキャビネットはディスプレイ上を動くことによってディスプレイの一部を隠す。第1実施例では、キャビネットが上方および下方に動く。その結果、キャビネットがディスプレイの水平な区分または細長い一片の上を移動することによって、これらを隠す。
【０００７】
コンピュータまたは似たような電子装置がキャビネットおよびディスプレイ上に提示される内容を制御する。その結果、ディスプレイ上の内容がキャビネットによって巧みに操作されるように見えるように当該内容を提示する。例えば、第1の画像またはビデオクリップがディスプレイ上に表示されている間、キャビネットがディスプレイ表面を下方へ動き始める。キャビネットが下方へ動くにつれて、キャビネットより上方で第１の画像を見ることはできないように、第2の画像、ビデオクリップ、または画像およびビデオクリップの一部が、キャビネットの高さよりも上方で提示される。しかしながら、キャビネットの高さよりも下方のディスプレイ上では第1の画像または画像の一部を続けて見ることができる。このような方法で、キャビネットが、表示された画像またはビデオクリップを巧みに操作しているように見える。言い換えれば、１つの例として、キャビネットが第1の画像またはビデオクリップを消去し、第2の画像またはビデオクリップに置き換えているように見える。実際は、コンピュータが、キャビネットの動きと組み合わせたディスプレイの内容を制御して、所望の外観を提示している。
【発明の効果】
【０００８】
したがって、キャビネット、ディスプレイおよびコンピュータの使用によって、静止したおよびビデオの画像または内容を表示する一層動的な方法を生み出す。このような方法は、多様な高品質ディスプレイが注意を引くために競合している環境で特に有益である。さらに、上述した開示を超えて他の多くの内容操作がある。このような巧みなディスプレイ操作につき他の幾つかを以下に開示および記載する。加えて、本発明のさらなる詳細についての以下の記載によって、本発明の他の実施例および目的が明らかになろう。
【発明を実施するための最良の形態】
【０００９】
以下の詳細な説明は、本説明にある創造的および独創的な特徴を組み込んだ特定のディスプレイデザインに有用であると理解されたい。しかし、創造的および独創的な特徴は、いかなる特定のディスプレイデザインから独立している。さらに、本発明の実施例は、大型のディスプレイ装置に限定されず、いかなるサイズのディスプレイ装置にも利用可能である。以下に説明において、画像とは、静止画像、ディスプレイグラフィック、ビデオクリップもしくはライブビデオフィードのことをいうものとする。
【００１０】
ここで図面を参照し、図を通じて類似の部材を類似の符号で示す。図１〜２ではディスプレイ装置全体を符号１００で示す。ディスプレイ装置１００はディスプレイ１１０、支持塔１２０およびキャビネット１３０を含む。実施例に示すようにキャビネット１３０はディスプレイ１１０の表面を垂直方向に可動である。このようにして、キャビネット１３０が動くと、キャビネット１３０があたかも２つの画像１４０−１および１４０−２を巧みに操作するように見せる。例えば、図１および図２に示すキャビネット１３０が下方へ動く場合、音楽会の画像１４０−１がディスプレイ１１０のうちキャビネット１３０より上方の部分を覆うよう伸張するとともに、キャビネット１３０がディスプレイ最下部位置に達するまで綱を握る女性の画像１４０−２が縮小する。これにより音楽会の画像１４０−１はディスプレイ１００の可視部全体を占め、綱を握る女性の画像１４０−２は消滅する。
【００１１】
画像１４０−１および１４０−２の巧みな操作は様々な形態をとる。他の種類として、キャビネット１３０が最上部または最下部から動くと第１の画像が、つまりこの場合はキャビネット１３０が下方に動き、音楽会の画像１４０−１がディスプレイ１１０表面へ引き出されるとともに、第2の画像が、この場合は綱を握る女性の画像１４０−２が、ディスプレイ１１０から押し外されるように見える。別な言い方をすれば、画像１４０−１および１４０−２の配分が変化するが、画像１４０−１および画像１４０−２全体が下方へ動くように見える。さらに他の種類として、各々の画像１４０−１および１４０−２が伸張および圧縮されるように見える。このような種類では、各画像１４０−１および１４０−２は全部表示されるが、これら画像はときどき伸張または圧縮された状態である。さらに他の種類として、他方の画像が現れるようにキャビネット１３０が字消しのように作動して一方の画像を体系的に消去するように見える。他の巧みな画像操作として、垂直方向に置かれたキャビネットを左右方向に動かすことによって巧みな操作を生み出すことが有得る。
【００１２】
ディスプレイ装置支持体１５０の斜視図である図３を参照すると、ディスプレイ装置支持体１５０は一組の支持柱１６０−１〜１６０−３、支持枠１７０およびキャビネット枠１８０を有する。支持枠１７０およびキャビネット枠１８０は、望ましくはアルミニウムまたは鋼等の合金から加工された一組のトラス構造を有する。各柱１６０−１〜１６０−３は基礎１９０−１〜１９０−３を含む。実際には、地面上に突出したディスプレイ構造体１５０の残りの部分を支持するために、基礎１９０−１〜１９０−３は地盤に植設される。望ましくは、基礎１９０−１〜１９０−３はコンクリートまたは類似の材料から形成される。
【００１３】
図３および他の図に示すように、V字形状のディスプレイ装置支持体１５０は、概ね反対を向き、単一のキャビネット枠１８０を使用する２個のディスプレイ１１０を収容することができる。このような配置により、反対方向からの通行人が同様に操作された内容を見ることができる。
【００１４】
図４はディスプレイ装置１００を一部透視して示す。３個の垂直トラス２００−１〜２００−３が機械的なキャビネット制御システムの制御塔として動作する。各トラス２００−１〜２００−３は、各先端でプーリシステム２１０−１〜２１０−３およびカウンタウェイトアセンブリ２２０−１〜２２０−３を支持する。ディスプレイ装置支持体１５０はさらに、上側プーリシステム２３０および下側プーリシステム２４０を有する２個のプーリシステムを支持する。ケーブル２５０の配索により、カウンタウェイトアセンブリ２２０−１〜２２０−３と、モータおよびウインチアセンブリ２６０とを接続する（図１０により詳細に示す）。モータおよびウインチアセンブリ２６０はキャビネット１３０を駆動する。キャビネット１３０は、ガイドトラック２８５−１〜２８５−３に沿って上昇および下降するピックアップ装置２８０−１〜２８０−３により支持される。モータ制御センタ２７０がモータおよびウインチ２６０に対し通信および指令する。以下に説明するように、モータ制御センタ２７０は１以上のコンピュータからその指令を受ける。
【００１５】
図５および図６はそれぞれ、単独のトラス部２００−１の斜視図および側面図である。
図５および図６に示すようにピックアップ装置２８０−１が、他のピックアップ装置と同様に、トラス部２００−１の外部に設けたガイドトラック２８５−１に沿って上昇および下降することができ、これにより付属のキャビネット１３０（図５および図６には示さない）を所定の方法で動かす。図４に示すように、各ピックアップ装置２８０−１〜２８０−３は、対応するガイドトラック２８５−１〜２８５−３を有する。ピックアップ装置２８０−１〜２８０−３の操作は、前記トラス部２００−１〜２００−３の内部に設けられており、自由に上昇および下降するカウンタウェイトアセンブリ２２０−１〜２２０−３によって容易となる。
【００１６】
図７は、ディスプレイ装置１００の内部機構を示す平面図であり、プーリシステム２１０−１〜２１０−３、ケーブル２５０、モータおよびウインチアセンブリ２６０、ならびにモータ制御センタ２７０を露出させた状態で含む。また、所定の位置にあるキャビネット１３０も示す。
【００１７】
図８〜図１０はプーリシステム２１０−１、カウンタウェイトアセンブリ２２０−１、ならびにモータおよびウインチアセンブリ２６０の詳細を示す。図８に示すようにプーリシステム２１０−１は、共に整列した第1プーリ３１０および第２プーリ３２０、ならびにプーリ支持メンバ３３０を含む。第1プーリ３１０は、一端がカウンタウェイトアセンブリ２２０−１に固定された４本のケーブル２５０を支持する。第２プーリ３２０は、一端がカウンタウェイトアセンブリ２２０−１に取り付けられた単独ケーブル２５５を支持する。単独ケーブル２５５の他端は上側プーリシステム２３０および下側プーリシステム２４０へ延び、最終的にはモータおよびウインチアセンブリ２６０と接続する。トラス部２００−１の各端部が同一のプーリシステム２１０−１を具備する。同じようにして、同一のプーリシステム２１０−２および２１０−３がそれぞれトラス部２００−２および２００−３の各端部に固定される。プーリシステム２１０−２および２１０−３も、同一のケーブル配置を提供する。
【００１８】
図９はカウンタウェイトアセンブリ２２０−１をトラス部２００−１の範囲とともに示す。カウンタウェイトアセンブリ２２０−１は、トラス部２００−１の高さに延びる平行な軌道３３５と摺動可能に係合する。ケーブル２５０および２５５はカウンタウェイトアセンブリの上部と付着する。ケーブル２５０’および２５５’はカウンタウェイトアセンブリ２２０−１の下部から延びる。
【００１９】
モータおよびウインチアセンブリ２６０を図１０に示す。アセンブリ２６０はベース３４０、ケーブルドラム３５０、エアアキュムレータ３６０およびジャンクションボックス３７０を含む。実際には、ケーブルドラム３５０は機械的なキャビネット制御システムからの少なくとも１本のケーブルと係合する。ケーブルドラム３５０はモータおよびウインチアセンブリ２６０のモータ３８０によって随時駆動され、それによってキャビネット１３０を必要に応じて上昇または下降させる。大抵の場合、キャビネット１３０の動きは体系的で所定のものであり、上方へ限界まで上がると次は下方へ限界まで下がり、あるいはその逆といったものである。しかしながら、表示される内容がキャビネット１３０の動きの本質を最終的に決定付ける。
【００２０】
ディスプレイ１１０、キャビネット１３０および関係する機構を含むディスプレイ装置１００は、１以上のコンピュータプロセッサによって制御される。図１１はディスプレイ装置１００を操作するコンピュータネットワーク４００の実施例になるブロック線図を示す。ネットワーク４００は、内容生成部５００ならびに記憶およびＩＴ部６００を有する。
【００２１】
内容生成部５００は１以上のディスプレイ１１０の見え方のための内容または題材の生成を容易にする。実施例では、内容生成部５００は、中央演算処理装置（CPU）５２０、ディスプレイ５３０およびキーボード５４０を具えたパーソナルコンピュータシステム５１０を少なくとも有する。例示的なコンピュータシステム５１０に適切なソフトウェアはWindowsXP Pro（登録商標）操作システム、Adobe AfterEffects（登録商標）およびAdobe Premier（登録商標）を含む。Adobe（登録商標）ソフトウェアは、後にディスプレイ装置１００上に表示する内容を創作し、操作し、および見るための手段を人々に提供する。適切なハードウェア構成は、Pentium 4 （登録商標）3.0 GB CPU、2.0 GBのRam、および200  GB×２ Raid Drivesである。当業者は、他のソフトウェアおよび／またはハードウェアも表示内容を創作し、操作し、および見るための所望の作業に適切であることを理解するであろう。
【００２２】
他の選択肢として、創作した内容を予め見るための強化装置を提供するために、プラズマスクリーン５５０または同等のものをコンピュータシステム５１０に接続してもよい。理想的には、コンピュータディスプレイ５３０および／またはプラズマスクリーン５５０が、キャビネット１３０によって隠れた部分を再現し、ディスプレイ装置１００上に表示されるべき最終的な成果の真の印象を提供する。
【００２３】
内容が創作されると、当該内容をコンピュータネットワーク４００の記憶部６００へ送信する。この送信はファイバまたはCat 5といった有線のイーザネット接続５６０を介して行うことが可能であり、あるいはワイヤレス接続によっても達成することができる。記憶部６００は１以上のファイルサーバ６１０、ライブビデオサーバ６２０および１以上のスイッチ６３０からなる。適切なファイルサーバ６１０モデルは、Windows（登録商標）プラットフォーム上で作動するDell（登録商標）PowerEdge 4600を含む。適切な記憶ユニットはRaid 5 Drivesの146GBを利用する。当業者は、他のソフトウェアおよび／またはハードウェアも指示および内容などのデータを記憶メディアであるイーザネットスイッチ／ハブ６４０を経てディスプレイ１１０へ送信するといった、データを記憶および送信する所望の作業に適切であることを理解するであろう。ライブビデオサーバ６２０はライブビデオソース６２５から内容を受信して、当該内容をリアルタイムのイーザネットスイッチ／ハブ６５０を経てディスプレイ１１０へ送出する。理想的には、データのディスプレイ１１０への送出およびデータ送信はファイバ接続６６０により容易となる。
【００２４】
キャビネット１３０の制御は、１以上のファイルサーバ６１０を接続することによって達成される。すなわち、表示される内容およびキャビネット１３０の動きが共働し、ディスプレイ装置１１０上に所望の効果を生み出す。これに応じて、ファイルサーバ６１０、すなわち記憶されたデータは、所望の効果を実現するための内容に調和するようキャビネット１３０の速度および方向を確実にする。
【００２５】
実施例では、ディスプレイ１１０は１００フィート（３０．５メートル）鉛直配向で１２００画素であり５０フィート８インチ（１５．４４３メートル）水平配向で６０８画素である発光ダイオード（LED）ディスプレイである。ディスプレイ１１０の全体的な分解能を変更するために、画素数を加減することができる。ディスプレイ１１０は複数の水平部６７０に分割され、各部６７０は１個のプレーヤモジュール６８０および１以上のLED制御インターフェース６９０を具える。プレーヤモジュール６８０は、ビデオを含む内容データを、ファイルサーバ６１０またはライブビデオサーバ６２０から送出し、LED制御インターフェース６９０を経てLEDを駆動するために当該内容を使用する。LCD、プラズマおよびデジタルを含む他のタイプのディスプレイを、本発明の実施例と共同して使用できることは明らかである。
【００２６】
このように、キャビネット１３０を内容データとともに使用して、情報に関する独特の表示を作る。例えば、上述のように、巧みな操作は、少なくとも一部において同時に表示される複数の画像を含む押し引き、伸張収縮または消去するシナリオといった外観を容易にすることができる。
【００２７】
コンピュータプロセッサおよび本発明の実施例の関連するシステムは、ディスプレイ装置１００を保守する人々に対して、ディスプレイ装置１００の操作に関するエラー通知を生成することができる。これにより、あらゆるシステムまたは部品の故障を迅速に評価および修正し、ディスプレイ装置１００の機械故障によるダウンタイムを最小限にすることができる。
【００２８】
図１および図２に示すように、キャビネット１３０は、パーマネントロゴタイプ、商標および関連情報またはキャビネット１３０の形式で宣伝用の題材１１５を含むことが考えられる。キャビネット上の宣伝用の題材１１５は、複数の照明により提示することができる。実際には、手書きの方法で署名が完成するよう照明をプログラムすることができる。もう１つの方法として光を照らさない可視材料でロゴ１１５を形成してもよい。
【００２９】
図１２に示すように、フローチャート７００が本システムの一般的な実施例を詳述する。ステップ７１０において、ソフトウェアおよびハードウェア構成を含むコンピュータシステムを用いてディスプレイ内容を創作し、視察されるようにする。内容を気に入ったら、ステップ７２０において、内容を１以上の記憶用ファイルサーバに送信する。ステップ７３０において、記憶内容を可動キャビネットと連携するディスプレイ装置に送信する。ステップ７４０において、オプションで、上記の記憶内容と組み合わせて、あるいは単独で、ライブビデオをディスプレイに送信することもできる。ステップ７５０において、所望のビジュアルプレゼンテーションを生み出すキャビネットの動きと連動する対象ディスプレイに、内容を表示する。
【００３０】
幾つかの実施例を参照しつつ発明を詳細に説明したが、発明の思想の範囲内でその他の変形例および修正が存在する。
【図面の簡単な説明】
【００３１】
【図１】本発明の第1実施例になるキャビネットを活用したディスプレイ装置の正面図である。
【図２】図１に示すディスプレイ装置の斜視図である。
【図３】ディスプレイ装置支持体の斜視図である。
【図４】機械的なキャビネット制御システムの斜視図である。
【図５】図４に示す機械的なキャビネット制御システムのうち１本の制御塔の斜視図である。
【図６】図４に示す機械的なキャビネット制御システムのうち１本の制御塔の側面図である。
【図７】図５に示す制御塔の平面図である。
【図８】機械的なキャビネット制御システムのプーリ装置を示す。
【図９】機械的なキャビネット制御システムのカウンタウェイトアセンブリを示す。
【図１０】モータおよびウインチアセンブリを示す。
【図１１】ディスプレイおよび機械的なキャビネット制御システムを操作するためのコンピュータネットワークのダイヤグラムを示す。
【図１２】本発明の実施例の１つの実際的な適用を示すフローチャートである。
【図１】
2008511017.tif 000003
【図２】
2008511017.tif 000004
【図３】
2008511017.tif 000005
【図４】
2008511017.tif 000006
【図５】
2008511017.tif 000007
【図６】
2008511017.tif 000008
【図７】
2008511017.tif 000009
【図８】
2008511017.tif 000010
【図９】
2008511017.tif 000011
【図１０】
2008511017.tif 000012
【図１１】
2008511017.tif 000013
【図１２】
2008511017.tif 000014
【国際調査報告】
2008511017.tif 000015
2008511017.tif 000016
2008511017.tif 000017